【手続補正書】
【提出日】平成27年11月6日(2015.11.6)
【手続補正１】
【補正対象書類名】明細書
【補正対象項目名】発明の名称
【補正方法】変更
【補正の内容】
【発明の名称】実際の過去のイベントに対する賭け金配分式賭けのシステム、方法及びプログラム
【手続補正２】
【補正対象書類名】特許請求の範囲
【補正対象項目名】全文
【補正方法】変更
【補正の内容】
【特許請求の範囲】
【請求項１】
実際の過去のイベントに賭け金配分式で賭けるためのシステムであって、
前記実際の過去のイベントのビデオ画像を内部に記憶するデータベースを備えるビデオサーバと、
ディスプレイを備えるゲーム端末と、
前記ゲーム端末及び前記ビデオサーバと通信するゲームサーバであって、
前記データベースに記憶された実際の過去イベントでの賭け金配分式の賭けを容易にするように、
前記賭け金配分方式の賭けに関連し、前記賭け金配分方式の賭けの勝利から提供される賞金の合計を含むシードプールを提供するように、
前記賞金の合計に関連する第１の閾値を特定するように、
前記賞金の合計が前記第１の閾値より下にあることを確定するように、
前記賞金の合計が前記第１の閾値より下にあることの確定の少なくとも一部に基づいて前記賞金の合計に追加的賞金資金を自動的に追加するようにするように、プログラミングされたゲームサーバと、
を備えるシステム。
【請求項２】
前記賞金資金は合計金額であり、前記賞金資金の合計はシードプールリザーブである、請求項１に記載のシステム。
【請求項３】
前記ゲームサーバは、
前記賭け配分式の賭けを完了し、更新された賞金の合計を生成するように、
前記各配分式賭けの前記完了に基づいて、前記更新された賞金の合計を前記第１の閾値と比較するように、さらにプログラミングされ、
前記賞金の合計が前記第１の閾値より下にあることの確定は、前記比較の少なくとも一部に基づく、請求項２に記載のシステム。
【請求項４】
前記賞金資金の合計は賭け金配分式の賭けに対する第１のゲームに関連し、前記追加的賞金資金は、前記第１のゲームを含む賭け金配分式の賭けに対する複数のゲームに関連するメインシードプールリザーブから前記賞金資金の合計に自動的に追加される、請求項１に記載のシステム。
【請求項５】
前記ゲームサーバは、
所定の時間間隔で前記賞金の合計と前記第１の閾値とを比較するように、
さらにプログラミングされた、請求項１に記載のシステム。
【請求項６】
前記ゲームサーバは、日々のオペレーションの終了とゲーム端末が操作可能となる前のいずれか１つ以上のときに前記賞金合計と前記第１の閾値とを比較するように、さらにプログラミングされた、請求項１に記載のシステム。
【請求項７】
前記ゲームサーバは、前記確定の少なくとも一部に基づいてオペレータにアラームを生成し送信するように、さらにプログラミングされた、請求項１に記載のシステム。
【請求項８】
実際の過去のイベントに賭け金配分式で賭けるための方法であって、
ゲームサーバにより、データベースに記憶された実際の過去のイベントに対する賭け金配分式の賭けを容易にすることと、
前記ゲームサーバにより、前記賭け金配分方式の賭けに関連し、前記賭け金配分方式の賭けの勝利から提供される賞金の合計を含むシードプールを提供することと、
前記ゲームサーバにより、前記賞金の合計に関連する第１の閾値を特定することと、
前記賞金の合計が前記第１の閾値より下にあることを前記ゲームサーバにより確定することと、
前記ゲームサーバにより、前記賞金の合計が前記第１の閾値より下にあることの確定の少なくとも一部に基づいて前記賞金の合計に追加的賞金資金を自動的に追加すること、
を備える方法。
【請求項９】
前記賞金資金は合計金額であり、前記賞金資金の合計はシードプールリザーブである、請求項８に記載の方法。
【請求項１０】
前記賞金資金の合計は賭け金配分式の賭けに対する第１のゲームに関連し、前記追加的賞金資金は、前記第１のゲームを含む賭け金配分式の賭けに対する複数のゲームに関連するメインシードプールリザーブから前記賞金資金の合計に自動的に追加される、請求項８に記載の方法。
【請求項１１】
前記ゲームサーバにより、前記賭け配分式の賭けを完了し、更新された賞金の合計を生成することと、
前記ゲームサーバにより、前記各配分式賭けの前記完了に基づいて、前記更新された賞金の合計を前記第１の閾値と比較すること、をさらに備え、
前記賞金の合計が前記第１の閾値より下にあることの確定は、前記比較の少なくとも一部に基づく、請求項１０に記載のシステム。
【請求項１２】
前記ゲームサーバにより、所定の時間間隔で前記賞金の合計と前記第１の閾値とを比較すること、をさらに備える請求項８に記載の方法。
【請求項１３】
前記ゲームサーバにより、日々のオペレーションの終了とゲーム端末が操作可能となる前のいずれか１つ以上のときに前記賞金の合計と前記第１の閾値とを比較すること、をさらに備える請求項８に記載の方法。
【請求項１４】
前記ゲームサーバにより、前記確定の少なくとも一部に基づいてオペレータにアラームを生成し送信すること、をさらに備える請求項８に記載の方法。
【請求項１５】
プログラムであって、コンピュータにより実行されるとき、前記コンピュータに、
ビデオサーバ上の実際の過去のイベントのデータベースに記憶された前記実際の過去のイベントに対し賭け金配分方式で賭けることを容易にするためにゲーム端末を介して前記データベースへのアクセスを得ることと、
前記賭け金配分方式の賭けに関連し、前記賭け金配分方式の賭けの勝利から提供される賞金の合計を含むシードプールを提供することと、
前記賞金の合計に関連する第１の閾値を特定することと、
前記賞金の合計が前記第１の閾値より下にあることを確定することと、
前記賞金の合計が前記第１の閾値より下にあることの確定の少なくとも一部に基づいて前記賞金の合計に追加的賞金資金を自動的に追加するようにすること、
を引き起こすプログラム。
【請求項１６】
前記賞金資金は合計金額であり、前記賞金資金の合計はシードプールリザーブである、請求項１５に記載のプログラム。
【請求項１７】
前記賞金資金の合計は賭け金配分式の賭けに対する第１のゲームに関連し、前記追加的賞金資金は、前記第１のゲームを含む賭け金配分式の賭けに対する複数のゲームに関連するメインシードプールリザーブから前記賞金資金の合計に自動的に追加される、請求項１５に記載のプログラム。
【請求項１８】
前記ゲームサーバにより、前記賭け配分式の賭けを完了し、更新された賞金の合計を生成することと、
前記ゲームサーバにより、前記各配分式賭けの前記完了に基づいて、前記更新された賞金の合計を前記第１の閾値と比較すること、をさらに引き起こし、
前記賞金の合計が前記第１の閾値より下にあることの確定は、前記比較の少なくとも一部に基づく、請求項１７に記載のプログラム。
【請求項１９】
前記ゲームサーバにより、所定の時間間隔で前記賞金の合計と前記第１の閾値とを比較すること、をさらに備える請求項１５に記載の方法。
【請求項２０】
前記ゲームサーバにより、日々のオペレーションの終了とゲーム端末が操作可能となる前のいずれか１つ以上のときに前記賞金の合計と前記第１の閾値とを比較すること、をさらに引き起こす請求項１５に記載のプログラム。
【請求項２１】
前記ゲームサーバにより、前記確定の少なくとも一部に基づいてオペレータにアラームを生成し送信すること、をさらに引き起こす請求項１５に記載のプログラム。